【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  剥離テープとテープ本体とを積層して成り、ロール状に巻回した状態で繰り出し自在にセットしたカッティングテープに対し、
前記テープ本体に印刷のみを行う印刷処理、前記テープ本体に切抜きのみを行う切抜き処理、および前記テープ本体に印刷および切抜きを行う複合処理を選択的に行うテープ処理装置において、
前記カッティングテープを繰り出して走行経路に沿って送るテープ送り機構と、
前記走行経路の上流側に臨み、前記テープ送り機構の正送りに同期して前記カッティングテープに印刷を行う印刷機構と、
前記印刷機構の下流側の前記走行経路に臨み、前記カッティングテープを所定の寸法に切り離すフルカット機構と、
前記フルカット機構の下流側の前記走行経路に臨み、前記テープ送り機構の正逆送りに同期して切り離したテープ片を任意の切抜き形状にカットするハーフカット機構と、
前記切抜き処理および前記複合処理において逆送りされる前記テープ片を、前記フルカット機構の下流側直近で前記走行経路から前記カッティングテープの巻癖方向に延在する分岐経路に導く経路変更手段と、
前記印刷処理、前記切抜き処理および前記複合処理の各処理に応じて、前記テープ送り機構、前記印刷機構および前記ハーフカット機構を選択的に制御する制御手段と、を備えたことを特徴とするテープ処理装置。
【請求項２】  前記印刷処理、前記切抜き処理および前記複合処理を選択的に指令する処理選択指令手段を更に備え、
前記制御手段は、前記処理選択指令手段の選択指令に基づいて、前記テープ送り機構、前記印刷機構および前記ハーフカット機構を選択的に制御することを特徴とする請求項１に記載のテープ処理装置。
【請求項３】  前記テープ送り機構は、
前記フルカット機構の上流側に配設され、前記カッティングテープを繰り出すテープ繰出し機構と、
前記フルカット機構の下流側に配設され、前記カッティングテープを正逆送り可能な正逆送り機構と、
前記テープ繰出し機構の動力を遮断するクラッチ機構とを有し、
前記制御手段は、前記クラッチ機構を制御して、前記テープ繰出し機構の動力を遮断すると共に前記フルカット機構による前記カッティングテープの切り離し後に、前記正逆送り機構のみ駆動させることを特徴とする請求項１または２に記載のテープ処理装置。
【請求項４】  前記制御手段は、前記印刷処理を行う場合において、前記テープ繰出し機構に同期して前記印刷機構を駆動して前記カッティングテープに印刷を行うと共に、印刷後に前記フルカット機構を制御して印刷済み部分を切り離し、前記正逆送り機構を正送り駆動して前記テープ片を待機状態の前記ハーフカット機構を通過させることを特徴とする請求項３に記載のテープ処理装置。
【請求項５】  前記制御手段は、前記切抜き処理を行う場合において、前記印刷機構を待機状態にして、前記テープ繰出し機構を制御して前記カッティングテープを前記正逆送り機構に送り込み、前記フルカット機構を制御して前記カッティングテープを所定の寸法に切り離し、前記正逆送り機構を制御してテープ片の正逆送りに同期して前記ハーフカット機構を駆動することを特徴とする請求項３に記載のテープ処理装置。
【請求項６】  前記制御手段は、前記複合処理を行う場合において、前記テープ繰出し機構に同期して印刷機構を駆動して前記カッティングテープに印刷を行うと共に、印刷後に前記フルカット機構を制御して前記印刷済み部分を切り離し、前記正逆送り機構を制御して前記テープ片の正逆送りに同期して前記ハーフカット機構を駆動することを特徴とする請求項３に記載のテープ処理装置。
【請求項７】  前記制御手段は、前記複合処理を行う場合において、前記テープ繰出し機構を制御して前記カッティングテープを前記正逆送り機構に送り込み、前記クラッチ機構を制御して前記テープ繰出し機構への動力を遮断した後、前記正逆送り機構の正送りに同期して前記印刷機構を駆動して前記カッティングテープに印刷を行うと共に、印刷後に前記フルカット機構を制御して前記印刷済み部分を切り離し、前記正逆送り機構を制御して前記テープ片の正逆送りに同期して前記ハーフカット機構を駆動することを特徴とする請求項３に記載のテープ処理装置。
【請求項８】  前記正逆送り機構は、駆動ローラおよび従動ローラからなるグリップローラと、前記駆動ローラおよび前記従動ローラを相対的に離接移動させるローラ離接機構とを有し、
前記制御手段は、前記ローラ離接機構を制御し、前記カッティングテープが切り離しのために送り停止したときに、前記グリップローラをグリップ状態とすることを特徴とする請求項３ないし７のいずれかに記載のテープ処理装置。
【請求項９】  前記カッティングテープは、ロール状に巻回した状態でテープカートリッジに繰出し自在に収容されており、
前記テープカートリッジを着脱自在に装着するカートリッジ装着部を、更に備えたこと特徴とする請求項３ないし８のいずれかに記載のテープ処理装置。
【請求項１０】  前記カッティングテープには、前記印刷処理、前記切抜き処理および前記複合処理の各処理に適した複数種のものが用意され、
これに対応して前記テープカートリッジには、前記各カッティングテープを収容する複数種のものが用意され、
前記カートリッジ装着部は、前記各テープカートリッジを同一方向から着脱自在に装着可能な単一のもので構成されていることを特徴とする請求項９に記載のテープ処理装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】
【手続補正２２】
【補正対象書類名】明細書
【補正対象項目名】００４６
【補正方法】削除
【補正の内容】
【手続補正２３】
【補正対象書類名】明細書
【補正対象項目名】００４７
【補正方法】削除
【補正の内容】
【手続補正２４】
【補正対象書類名】明細書
【補正対象項目名】００４８
【補正方法】削除
【補正の内容】
【手続補正２５】
【補正対象書類名】明細書
【補正対象項目名】００４９
【補正方法】削除
【補正の内容】
【手続補正２６】
【補正対象書類名】明細書
【補正対象項目名】００５０
【補正方法】削除
【補正の内容】
【手続補正２７】
【補正対象書類名】明細書
【補正対象項目名】００５１
【補正方法】削除
【補正の内容】
【手続補正２８】
【補正対象書類名】明細書
【補正対象項目名】００５２
【補正方法】削除
【補正の内容】
【手続補正２９】
【補正対象書類名】明細書
【補正対象項目名】００５３
【補正方法】削除
【補正の内容】
【手続補正３０】
【補正対象書類名】明細書
【補正対象項目名】００５４
【補正方法】削除
【補正の内容】
【手続補正３１】
【補正対象書類名】明細書
【補正対象項目名】００５５
【補正方法】削除
【補正の内容】
【手続補正３２】
【補正対象書類名】明細書
【補正対象項目名】００５６
【補正方法】削除
【補正の内容】
【手続補正３３】
【補正対象書類名】明細書
【補正対象項目名】００５７
【補正方法】削除
【補正の内容】
【手続補正３４】
【補正対象書類名】明細書
【補正対象項目名】００５８
【補正方法】削除
【補正の内容】
【手続補正３５】
【補正対象書類名】明細書
【補正対象項目名】００５９
【補正方法】削除
【補正の内容】
【手続補正３６】
【補正対象書類名】明細書
【補正対象項目名】００６０
【補正方法】削除
【補正の内容】
【手続補正３７】
【補正対象書類名】明細書
【補正対象項目名】００６１
【補正方法】削除
【補正の内容】
【手続補正３８】
【補正対象書類名】明細書
【補正対象項目名】００６２
【補正方法】削除
【補正の内容】
【手続補正３９】
【補正対象書類名】明細書
【補正対象項目名】００６３
【補正方法】削除
【補正の内容】